(57)【要約】【課題】  テレビ・パソコンディスプレイ・測定器表示装置を支持するスタンドに使用される従来の角度調節用ヒンジは、水平回転と前後傾斜用に個々の組立品が使用されていたので、部品が多くて重くなり、特に薄型テレビでは持ち運びに不便であった。  又、定摩擦トルクであったので角度調節に大きな力を要した。【解決手段】  本考案のヒンジは、球面・Ｒ面部と長穴を有する表示装置取付用移動体２と、それを挟む球面の受圧体１と、Ｒ面の押圧体３の構成で、摩擦トルクが傾斜角度に応じて変動する特性とすると共に、１個の組立で水平回転と前後傾斜の機能を果たすようにして、スタンドの軽量化及び軽操作力を可能にした。  と同様に、電動スタンドでも球面形状部品を利用することにより、１箇所の組立体で上下・水平の調節機能を持たせることが出来、スタンドのコンパクト化を果たした。【選択図】      図２
2005337484.tif 000002
【特許請求の範囲】
【請求項１】
表示装置のスタンドにおいて、中心部に長穴を備えると共に片側に球面・反対側にＲ面を備え表示装置を支持する移動体と、その両側に、移動体に押圧を与えるＲ面を備えた押圧体・押圧を受ける球面を備えた受圧体と、押圧を発揮する弾性体と、中心に位置する水平回転軸と、前記の全部材を保持する締結板で構成された、下への傾き角に応じて増加する保持摩擦を有すると共に、１つの組立体で上下・水平調節出来る様にしたヒンジを備えた、スタンド。
【請求項２】
前記したヒンジにおいて、中心部に長穴を備えると共に球面・Ｒ面を上下逆に備えた表示装置を支持する移動体と、その片側に移動体に押圧を与える前後に２つのＲ面を備えた押圧体、もう一方に押圧を受ける球面を備えた受圧体と、押圧を発揮する弾性体と、中心に位置する水平回転軸と、前記の全部材を保持する締結板で構成された、上下への傾き角に応じて変化する保持摩擦を有すると共に、１つの組立体で上下・水平調節出来る様にしたヒンジを備えた、スタンド。
【請求項３】
表示装置を動かす為の２個のモ−タ−を備え、その１つはスクリュ−でカムを動かして、表示装置取付部材の球面部に備えられたコロを押して表示装置を上下に調節し、もう１つはギヤが備えられ、前記球面部に嵌合した円板の１部に形成されたギヤ部に噛合って、表示装置を水平回転させる、スタンド。
【発明の詳細な説明】
【技術分野】
【０００１】  本発明は、テレビやパソコン・ディスプレイ等の表示装置等に用いられるスタンドで、最も見易い角度へ調節する為の、水平回転と上下への傾きを調整できる２方向ヒンジに、傾けた角度に応じて表示装置等を保持出来る様に変動摩擦力を付与したものを備えた、スタンドである。
【背景技術】
【０００２】  従来のスタンドは、前後傾斜のヒンジだけか、例えば特開２００２−２５０３３５に記される様に、水平回転機能部分と前後傾斜機能部分のそれぞれのヒンジを備えているか、特願２００２−３４９５１０に示される定摩擦を有する、物であった。
又、電動スタンドでは水平に回転するだけの物であった。
【発明の開示】
【発明が解決しようとする課題】
【０００３】  水平回転機能組立体と前後傾斜機能組立体の複数のヒンジを備える方式では、ヒンジの数が多い分だけ部品も増えるし、前記両者の連結部材も要して取付に手間が掛かるし、大きな物となって重くなってしまう。
又、表示装置が大きい場合には、一定摩擦の物では摩擦トルクを大きくせざるを得ないので、調節時の操作力が大きくなってしまう。
【課題を解決するための手段】
【０００４】  本発明では、表示装置を支持する移動体の表裏に球面・Ｒ面を設け、移動体中心部には長穴を設けて水平回転・前後傾斜を為せるようにし、それと接触する一方の部材には球面、もう一方の部材にはＲ中心を移動体回転中心とはずらしたＲ面を設け設けて、前後傾斜につれて摩擦力が変化する様にした。
【発明の効果】
【０００５】  前記した構成により、１つのヒンジで水平回転・前後傾斜を為せるので、少ない部品で機能を発揮でき小さくて軽い架台を提供し得るし、ヒンジが傾斜に応じた変動トルクを発揮するので、スタンドをテレビやディスプレイの後に配置しても小さい力で角度を調節出来る。
又、大きな表示装置でも、傾斜角度に応じたトルク変動で傾きを保持し、戻しトルクを有しているので、傾斜した状態から小さい力で戻すことが可能となる。
【発明を実施するための最良の形態】
【０００６】  ヒンジとしては、受圧体１・移動体２・押圧体３・ウエ−ブスプリング４に、水平回転軸５が通され締結板６に固着されて、構成される。
更に、ヒンジは、移動体２がスタンドの表示装置取付部材７に固定され、又、締結板６がスタンドの足部材８に固定されて、スタンド全体が完成となる。
【実施例】
【０００７】  図１に請求項１のスタンド全体、図２にそのヒンジとスタンド足部材の取付部、図３にヒンジ部品の分解図を示す。
この場合は、小サイズの表示装置をヒンジの前に配置する形態であり、表示装置が上下いずれに向いても、表示装置負荷が前向きに掛かる。
ヒンジの構成は、中央部の上面が球面部２ａである移動体２の上に、相対した凹球面を備える受圧体１が配され、移動体２の下には、移動体２の裏のＲ面に相対したＲ中心をずらしたＲ面部３ａを有する押圧体３が配され、摩擦板９に挟まれてウエ−ブスプリング４が配される。その全体に水平回転軸５が挿し通され、締結板６に加締められて、ヒンジ全体が構成される。
移動体２の中央穴部２ｂは長穴で、前後傾斜を可能にすると共に傾斜停止機能を果たす。尚、長穴巾と水平回転軸５の軸径とを隙間嵌め値に設定することにより、表示装置の左右への倒れは微小とする事が出来る。
又、水平回転軸５の頂上扇形部５ａは水平回転停止機能を果たす。
締結板６は、直接に足部材８に固定されても良いが、当て板を介しても固定される。
図４は、スタンドを上に傾斜させたヒンジ部側面断面図で、移動体２が後ろに移動する場合は、押圧体３が上に移動しウエ−ブスプリング４の撓みが減少して、ヒンジの摩擦トルクが小さくなる。
図５はトルク特性で、スタンドを上に傾斜させる場合は、表示装置負荷トルクとヒンジの戻しトルクの差が傾斜調整の操作トルクとなり、一定の摩擦トルクの場合より小さい操作力で済む。
カバ−１０は、表示装置取付部材７と足部材８の繋ぎ目において、ヒンジが外部から見えないためのものである。【０００８】  次に請求項２のスタンド全体を図６に示す。この場合は大きい表示装置がヒンジ部の上に位置している場合で、表示装置の負荷トルクは図８の特性となる。
この場合に対応するのが請求項２のヒンジで、その側面断面図を図７に示す。球面・Ｒ面は請求項１とは逆向きであり、押圧体１１のＲ面はそのＲ中心が前後の２つのＲ面で構成される。
それにより、移動体１２が垂直から前に回転しても後ろに回転しても、押圧体１１は押し下げられ、ウエ−ブスプリング４の撓みが増して摩擦トルクは大きくなって、傾斜状態で表示装置は保持される。
球面・Ｒ面が上に凹であることは、移動体１２を回転した場合に、上に凸の場合より表示装置重心の移動量が少ないので、より小さい摩擦トルクで傾斜を保持出来る。【０００９】  請求項３の要部を切り欠いたスタンドを図９、部品に分解した状態を図１０に示す。
表示装置取付部材１３に球面部１３ａを設けると共に、軸部１３ｂにはコロ１４を配し、第１モ−タ−１５に備えられたスクリュ−１６がカム１７を上下させて、カム１７の傾斜溝部１７ａに嵌り込んでいる前記のコロ１４を左右に回動させ、表示装置取付部材１３は上下に調節される。
前記球面部１３ａを受ける円板１８は、抜け止め１９にて、表示装置足部材２０を挟んで表示装置取付部材１３に組み立てられる。
円板１８の１部にはギヤ部１８ａが設けられていて、第２モ−タ−２１に備えられたギヤ２２が噛み合って水平に調節される。
第１モ−タ−板２３は円板１８にネジ止めされ、第２モ−タ−板２４は表示装置足部材２０にネジ止めされる。
リモコンから信号を受けるセンサ−を備えた基板２５は、スタンドの底カバ−２６にネジ止めされる。
前述した様に球面形状部品を利用することにより、先の摩擦トルクを有するヒンジと同様に、電動スタンドでも１箇所の組立体で上下・水平の調節機能を持たせることが出来、スタンドのコンパクト化を果たした。
【図面の簡単な説明】
【図１】  請求項１のスタンド図
【図２】  上記のヒンジ及び固定図
【図３】  上記ヒンジの部品分解図
【図４】  上記ヒンジの側面断面図
【図５】  上記ヒンジのトルク特性図
【図６】  請求項２のスタンド図
【図７】  請求項２のヒンジの側面断面図
【図８】  請求項２のヒンジのトルク特性図
【図９】  請求項３のスタンド要部の図
【図１０】  請求項３の部品分解図
【符号の説明】
１        受圧体
２        移動体                    ２ａ    球面部
２ｂ      中央穴部
３        押圧体                    ３ａ    Ｒ面部
４        ウエ−ブスプリング
５        水平回転軸                ５ａ    頂上扇形部
６        締結板                    ７      表示装置取付部材
８        足部材                    ９      摩擦板
１０      カバ−
１１      押圧体                    １２    移動体
１３      表示装置取付部材          １３ａ  球面部
１３ｂ    軸部
１４      コロ                      １５    第１モ−タ−
１６      スクリュ−
１７      カム                      １７ａ  傾斜溝部
１８      円板                      １９    抜け止め
２０      表示装置足部材            ２１    第２モ−タ−
２２      ギヤ                      ２３    第１モ−タ−板
２４      第２モ−タ−板            ２５    基板
２６      底カバ−
【図１】
2005337484.tif 000003
【図２】
2005337484.tif 000004
【図３】
2005337484.tif 000005
【図４】
2005337484.tif 000006
【図５】
2005337484.tif 000007
【図６】
2005337484.tif 000008
【図７】
2005337484.tif 000009
【図８】
2005337484.tif 000010
【図９】
2005337484.tif 000011
【図１０】
2005337484.tif 000012